(57)【要約】  【課題】特には、熟練を要さず短時間で簡単に設置、撤去でき、また、設置（連結）後の平面が綺麗であり、簡単にレイアウト変更できて多目的に使用でき、しかも、撤去後でも繰返し使用できる（資材の無駄が省ける）ように什器を連接するために使用する、陳列用什器の装飾連結具とその連結方法を提供すること。  【解決手段】合成樹脂製で片割れ筒状に形成され、型材やパイプ材を主体に形成され左右に連続、配置された複数の什器１を位置決めしつつ連接するために使用されるものであり、互いに隣接する各什器１に備えた上辺フレーム２の外側面を突き合わせ若しくは離間して当該上辺フレーム２、２間に、または、互いに密接する各陳列用什器に備えたハンガー取付けパイプ８の外側面を突き合わせ若しくは離間して当該ハンガー取付けパイプ８、８間に、または、互いに隣接する各什器１に備えた棚板５の外側面を当接させ若しくは離間して当該棚板５，５の外側面に着脱自在に外装、架設させることにより、前記陳列用什器１複数の表面を同一平面状に形成させるところに特徴がある。【選択図】  図１
2005253854.tif 000002
【特許請求の範囲】
【請求項１】
合成樹脂製で片割れ筒状に形成され、型材やパイプ材を主体に形成され左右に連続、配置された複数の陳列用什器を位置決めしつつ連接するために使用される装飾連結具であって、
該装飾連結具は、互いに隣接する各陳列用什器に備えた上辺フレームの外側面を突き合わせ若しくは離間して当該上辺フレーム間に、または、互いに密接する各陳列用什器に備えたハンガー取付けパイプの外側面を突き合わせ若しくは離間して当該ハンガー取付けパイプ間に、または、互いに隣接する各陳列用什器に備えた棚板の外側面を当接させ若しくは離間して当該棚板の外側面に着脱自在に外装、架設させることにより、
前記陳列用什器複数の表面を同一平面状に形成させることを特徴とする装飾連結具。
【請求項２】
前記装飾連結具は、その外面が木目模様又は竹模様に形成されていることを特徴と請求項１記載の装飾連結具。
【請求項３】
型材やパイプ材を主体に形成され左右に連続、配置された複数の陳列用什器の表面を同一平面状に形成させる、陳列用什器の連結方法であって、
合成樹脂製で片割れ筒状に形成された装飾連結具を、互いに隣接する各陳列用什器に備えた上辺フレームの外側面を突き合わせ若しくは離間して当該上辺フレーム間に、または、互いに密接する各陳列用什器に備えたハンガー取付けパイプの外側面を突き合わせ若しくは離間して当該ハンガー取付けパイプ間に、または、互いに隣接する各陳列用什器に備えた棚板の外側面を当接させ若しくは離間して当該棚板の外側面に対して着脱自在に外装、架設させることを特徴とする陳列用什器の連結方法。
【発明の詳細な説明】
【技術分野】
【０００１】
本発明は陳列用什器と、該陳列用什器を形成するための陳列用什器単体の連結方法に関するものである。より詳しくは、構造が簡単で多様な目的に使用でき、組み付け作業性に優れ、さらに、演出効果の向上が図れる陳列用什器と、その連結方法に関するものである。
【０００２】
ここで、本明細書において、”陳列用什器”とは、表面に化粧板やパネルなどを有する枠体複数を直線状に又は所望する所定の設置角度に連結し、建物内部空間の用途に応じて、間仕切り・衝立、展示パネル、試着室、展示用の棚やハンガー類、陳列ワゴン、あるいはおよびこれらに類するものを総称する用語として使用する。
【背景技術】
【０００３】
従来、店舗で使用される商品陳列用の棚状の什器や陳列ワゴンなどは、製造コストや加工の容易性，量産性などの観点から金属製のものが汎用されている。陳列する商品の性質や内容によっては金属製の什器では見劣りすることがあり、かかる商品は例えば木製の陳列棚等を使用することが多かった。
【０００４】
陳列用什器や陳列ワゴンなどの複数を連結して略一体化する場合、什器を構成する支柱や座フレームなど、陳列ワゴンの枠体部分などをヒモで結びつけるか、特殊な連結具を使用して連結するか、あるいは、表面に化粧板などを有する複数の木製パネルの場合には、これらを一直線又は所望する所定設置角度に配設し、木製連結材を釘止めして連続壁を形成する方法が一般的に採用されている。
【０００５】
なお、複数のアルミ製パネルの小口面と小端面のうち床側を除く三面に一条の溝を設置し、天井側と床側に一本のアジャスター金物で、パネルを建て、平鋼またはＨ形綱を雇い身として、前記溝に使用して連続壁を構築するものが提示されている（特許文献１参照）。
【０００６】
また、パネルは左右両端又はそのいずれかを平面形状が略鋭角である劣端部に形成し、該劣端部の上下両側の近傍に単数又は複数の平面状弧状の嵌着溝を上下方向に穿ち、この嵌着溝に環状の取付金具を嵌着して複数のパネルを連結することで連続壁を構築する方法も提案されている（特許文献２参照）。
【０００７】
一方、金属製の型材やパイプ材を主体に形成した陳列什器におけるフレームの外部に露出した金属面に、木製乃至は木製に見える外装材を、例えばビス止めしたり、磁力や吸着部材により着脱自在に装着することによって、木製のものの如く見えるように構成された陳列什器が開示されている（特許文献３参照）。
【０００８】
【特許文献１】特開６−４９９３４号公報、（特許請求の範囲、請求項１）
【特許文献２】特開９−９６０３１号公報、（図面１乃至３）
【特許文献３】特開１０−２４３８５１号公報、（特許請求の範囲、請求項１）
【発明の開示】
【発明が解決しようとする課題】
【０００９】
しかしながら、店舗の内装材や内装雰囲気との関係などにより、金属製の陳列用什器 では不釣合になるという問題があり、木製の陳列用什器は、金属製のそれよりも高価格であるため、導入し難いという問題があった。そのため、陳列商品や店舗の内装材、内装雰囲気等に適合する各種の什器をそれぞれ準備してその都度、使い分ける必要があった。
【００１０】
また、従来の木製連結材を使用する方法やヒモで結びつけて連結する方法によると、各木製パネルを予め作製して設営現場にて構築できるものの、木製パネルを所望通りに配する作業が煩雑であり、また、配管配線作業などが加わって手間取るため、長時間にわたる面倒な設営作業に多数の作業員が必要であり、設営経費高になるという問題があるばかりか、平滑な壁面を形成することが困難であるという問題があった。
【００１１】
また、木製連結材を使用する方法によると、作業時に金槌音やドリル音などの騒音が発生する等の問題があり、また、特殊な用途に使用するものを除いて完全固定するので、あと移動させることは取り壊す以外まず不可能であり、撤去後に再利用して使用することができず、産業廃棄物として処分されていた。
【００１２】
一方、上記特許文献１や特許文献２等の方法によると、展示終了後に取り外して再利用できるものの、上述した木製パネルの場合と同様、所望通りに配し固定する長時間にわたる重作業が必要であり、設置、撤去作業に多数の人手が必要となって、設営経費高になるという問題があり、さらに、アルミパイプ製であるとアルミパイプが表面側に露出するため意匠上の問題が生じていた。
【００１３】
特に、特許文献２の方法によると、数種の連結金具により数種の連結角度を選択するように構成されているため、別途、特殊な連結金具を数種作製する必要となり、その汎用性という点において問題があった。
【００１４】
また、特許文献３は、支柱やフレームなどが角パイプ等で矩形状に構成されている陳列什器に関し、陳列什器における支柱やフレームなどが角パイプ等で構成されているものに適用できず、汎用性において問題があった。
【００１５】
本発明はこのような点に鑑みなされたものであり、特には、構成が簡単で、陳列用什器における支柱やフレームなどが丸パイプ等であっても自在かつ容易に脱着でき、装飾連結具（外装材）の装着作業や、陳列用什器単体複数個の連結組み付け作業性に優れ、さらに、陳列商品や店舗の内装材、内装雰囲気等に自在に模様替えできてその演出効果の向上が図れる、陳列用什器の装飾連結具と該陳列用什器の連結方法を提供することを課題とするものである。
【００１６】
なお、産廃たる合成樹脂をリサイクルさせて環境浄化に寄与することは、本発明の他の課題でもある。
【課題を解決するための手段】
【００１７】
上記課題を解決することを目的としてなされた本発明の構成は、請求項１の発明は、合成樹脂製で片割れ筒状に形成され、型材やパイプ材を主体に形成され左右に連続、配置された複数の陳列用什器を位置決めしつつ連接するために使用される装飾連結具であって、
該装飾連結具は、互いに隣接する各陳列用什器に備えた上辺フレームの外側面を突き合わせ若しくは離間して当該上辺フレーム間に、または、互いに密接する各陳列用什器に備えたハンガー取付けパイプの外側面を突き合わせ若しくは離間して当該ハンガー取付けパイプ間に、または、互いに隣接する各陳列用什器に備えた棚板の外側面を当接させ若しくは離間して当該棚板の外側面に着脱自在に外装、架設させることにより、前記陳列用什器複数の表面を同一平面状に形成させるところに特徴がある。
【００１８】
請求項２の発明は、請求項１記載の装飾連結具において、前記装飾連結具の外面が木目模様又は竹模様に形成されているところに特徴がある。
【００１９】
つぎに、請求項３のは夢委は、型材やパイプ材を主体に形成され左右に連続、配置された複数の陳列用什器の表面を同一平面状に形成させる、陳列用什器の連結方法であって、
合成樹脂製で片割れ筒状に形成された装飾連結具を、互いに隣接する各陳列用什器に備えた上辺フレームの外側面を突き合わせ若しくは離間して当該上辺フレーム間に、または、互いに密接する各陳列用什器に備えたハンガー取付けパイプの外側面を突き合わせ若しくは離間して当該ハンガー取付けパイプ間に、または、互いに隣接する各陳列用什器に備えた棚板の外側面を当接させ若しくは離間して当該棚板の外側面に対して着脱自在に外装、架設させるところに特徴がある。
【発明の効果】
【００２０】
本発明に係る陳列用什器によると、軽くて、平積みおよび立てかけのいずれもが可能で資材管理が楽になり、さらに、運搬や作業も楽に行なえる。また、設営にかかる手数が大幅に削減でき、丈夫で精度の良い連続壁を効率良く設営できる。また、設営作業が簡単であるため、工期も短縮できるし、設営に必要な人手も削減でき、設営作業時に作業音（カナヅチ音やドリル音など）が発生することもない。
【００２１】
また、型材やパイプ材を主体に形成され左右に連続配置された陳列用什器単体であっても、装飾連結具が合成樹脂製の片割れ筒状に形成されておりそのヒンジ効果を利用して外装するため、その取外しも簡便に行うことができ。
【００２２】
また、装飾連結具は、隣接する陳列用什器単体を連結するための連結部材として、さらに、複数の陳列用什器単体を例えば一直線状に配して位置決め固定するための位置決め固定部材としても作用するため、連結後の平面が綺麗で、何回でも繰返し使用できる。すなわち、一基の陳列用什器を様々な目的に応じた陳列用什器に変更して利用できるから、簡単な構造でありながらも様々な演出効果を付与できかつ、意匠性の向上も図れ、陳列商品の見栄えや商品価値が向上する。
【００２３】
さらに、表面に棚部材を有する飾り棚や、全面に突出する隠し柱などのように設置されると、簡単な構造でありながらも様々な機能を付与でき、意匠性の向上が図れ、これにより、店舗の模様替えなどの際にその機能を有効に発揮させ得る多目的什器として使用できる。また、装飾連結具を例えばペットボトル等のような廃プラスチックで作製すれば、産廃樹脂をリサイクルでき、環境浄化に寄与できる。
【００２４】
特に、請求項２の発明の陳列用什器によると、例えば金属製フレームの陳列用什器であっても木製や竹製に見える陳列用什器としても選択的に兼用させることができ、様々な目的に応じた陳列用什器に変更して利用できる。
【００２５】
つぎに、請求項３の陳列用什器の連結方法によると、請求項１または２の陳列用什器をそれぞれを簡単に連結できる。
【発明を実施するための最良の形態】
【００２６】
次に、本発明に係る装飾連結具は、片割れ筒状に形成された合成樹脂製であり、型材やパイプ材を主体に形成され左右に連続配置された複数の陳列用什器単体を連結するために使用されるものである。以下、本発明を実施するための最良の形態について、図面に示した例により説明するが、これらはその代表例にすぎず、本発明の要旨を越えない限り、様々に設計変更できるものとする。
【００２７】
図１は、本発明の実施例となる装飾連結具１０を使用してパネル式什器１を連結した一例を模式的に示す概略斜視図である。
【００２８】
図において、装飾連結具１０は合成樹脂製であり、ヒンジ作用効果を奏する略半割れ筒状に形成されており、複数の陳列用什器１０を一直線状に配した各陳列用什器１０の表面を同一平面状に形成するものである。
【００２９】
実施例１の装飾連結具１０ａは、互いに密接する什器１の上辺フレーム２の両外側端面を突き合わせ、着脱自在に外装、架設させ、什器１複数の表面を同一平面状に形成させることができ、かつ、什器を整列させ導線を確保できるものである。ただし、什器間の距離が離間している場合には、互いに密接する什器の上辺フレーム２の両外側端面の間に架設させるように外装させ、什器複数の表面を同一平面状に形成させることができるものとする。この場合、什器１間の距離を離すことにより設置場所全体にわたって什器の複数を配置できるから、設置スペースを有効に利用できる。すなわち、連接した複数の什器の両側に、無駄な隙間がなく設営できるから、設営後の見栄えが向上するとともに、陳列スペースが拡大するなどの作用効果を奏する。
【００３０】
パネル式什器１の単品は、４本の角パイプ材を正面視略矩形をなすように接合したフレーム３と、この矩形フレーム３の内側全面に、その長さ方向に等ピッチでブラケット（図示せず）の支持用スリット（又は小孔）を設た２本のブラケット用支柱４が立設させてある。なお、２本の支柱４の間には図示しないパネルが張設されている場合と、パネルを設けない場合とがある。
【００３１】
パネルの材質は、木製，プラスチック製，金属製、布帛製のいずれでもよく、また、網目状のものや透光性のもの、簾状のもの、表面が鏡になったものなど自在のものが使用できる。なお、パネルを設けない場合もある。なお、フレーム３や支柱４は、パイプ材のほか、型材により形成する場合もある。
【００３２】
この陳列棚５は、ブラケット用の支柱４を設けた矩形のフレームを形成しているが、例えば金属製のパイプ材などが外部に露出しているため、その金属の表面が仮に塗装等により被覆されていても金属製であると一目で判る。
【００３３】
前記フレーム３において、下辺のパイプ材の左右には足６が連接されており、ここではキャスタを具備したり、キャスタに代え高さ調節のアジャスタ材を設けたり、また、当該フレームの足６の上に、平台や収納部付の箱状平台を配置した形態で使用することもある。
【００３４】
つぎに、実施例２の装飾連結具１０ｂは、図示しないブラケットをその支柱４の少なくとも前面にスリットにおいて架着支持し、当該ブラケットの上に棚板７を載架して陳列棚を形成してあり、棚板７の外側面を当接させた状態で、小口側から着脱自在に外装させることにより、什器複数の表面を同一平面状に形成させるものである。ただし、什器１間が離間している場合には、互いに密接する棚板７の両外側面の間に架設させ、陳列用什器１複数の表面を同一平面状に形成させることができるものとする。什器１間を離すことにより、設置場所全体にわたって什器の複数を配置でき設置スペースを有効に利用でき、陳列スペースが拡大するなどの作用効果を奏することは上述したとおりである。
【００３５】
つぎに、実施例３の装飾連結具１０ｃは、図示しないブラケットをその支柱４の少なくとも前面にスリットにおいて架着支持し、当該ブラケットにハンガー用パイプ８が形成されており、ハンガー用パイプ８の両外側端面を突き合わせ、着脱自在に外装、架設させ、什器複数の表面を同一平面状に形成させるものである。ただし、什器間を離間させる場合には、互いに密接するハンガー用パイプ８の両外側端面の間に架設させることで什器複数の表面を同一平面状に形成させることができるものとする。什器１間を離すことにより、設置場所全体にわたって什器の複数を配置でき設置スペースを有効に利用でき、陳列スペースが拡大するるなどの作用効果を奏することは上述したとおりである。
【００３６】
なお、本発明の装飾連結具１０は合成樹脂製でヒンジ作用効果を備えた略半割れの筒状でに形成されているが、前記半割れ筒状の断面形状を制限するものではなく、例えば半円形乃至矩形状に形成されており、その寸法形状は、適用されるフレームなどの形状に近似するものである。
【００３７】
また、この装飾連結具の表面が、例えば柾目模様などの木目形状や、竹などのようになっていると、複数の陳列用什器を一直線状に配してこれらの表面を同一平面状に設営することができることに加えて、上記什器１のフレームを例えばあたかも木製や竹製などにごとく見え自在に模様替えでき、様々な目的に応じた陳列用什器に変更して利用できる。
【図面の簡単な説明】
【００３８】
【図１】図１は、本発明の実施例となる装飾連結具を使用してパネル式什器を連結した一例を模式的に示す概略斜視図である。
【符号の説明】
【００３９】
１  …  陳列用什器
２  …  上辺フレーム
３  …  フレーム
４  …  支柱
５  …  陳列棚
６  …  足
７  …  棚板
８  …  ハンガー用パイプ
１０  …  装飾連結具
１０a…  装飾連結具
１０ｂ…  装飾連結具
１０ｃ…  装飾連結具
【図１】
2005253854.tif 000003